(57)【特許請求の範囲】
【請求項１】
ピンチが取り付けられる枠体と、ピンチと、前記枠体にピンチを取り付けるための取付装置よりなり、
前記取付装置は、前記枠体に装着される固定具と、受け具と、連結具とで構成され、
固定具は枠体に嵌装されるＵ字状の弾性体とし、受け具は上部に一対の固定孔を有し、前記固定具の両端部が前記固定孔に弾性的に係止することにより連結され、
前記受け具と連結具とは、前記受け具の下部と連結具の上部とが回転自在に係合することにより連結され、
前記連結具の下部にはピンチが取り付けられた、
洗濯ハンガー
【請求項２】
受け具は、連結具の上部が装着される一対の固定孔と、両側に拡開可能なスリットを有する中空部を有し、前記連結具は上部に膨大した係止部を有し、前記中空部に連結具の係止部が装着された、
請求項１に記載の洗濯ハンガー
【請求項３】
枠体は、固定具装着部に溝が形成され、この溝に固定具が係止した、
請求項１又は２に記載の洗濯ハンガー
【発明の詳細な説明】
【０００１】
【産業上の利用分野】
この発明は、枠体に多数のピンチが取り付けられた洗濯ハンガーに関するものである。
【０００２】
【従来の技術】
従来のこの種の洗濯ハンガーは、枠体に細いワイヤを環状に屈曲させた連結金具を介してピンチを取り付けている。
【０００３】
また、ワイヤを用いずに枠体にピンチを取り付けるようにしたものとしては、例えば実公平４−１５１９６号の構造が提案されている。
前記実公平４−１５１９６号の考案は、ハンガーの枠体とピンチとを吊り下げ部材によって連結するものであり、前記吊り下げ部材の上部には枠体に嵌装される環状不完結の掛け吊り部を設け、吊り下げ部材の下部にはピンチのばねが係止する溝を設けたものである。
【０００４】
【発明が解決しようとする課題】
細いワイヤによってピンチを取り付けたものは、長期間の使用によってワイヤが錆びてもろくなってピンチがはずれたり、ワイヤの屈曲部が開いて端部が突きだし、衣服に引っかかったり使用者や衣服を傷つけたりする場合があった。
また、前記実公平４−１５１９６号の構成においては、吊り下げ部材が１部材で構成されているために、自由に回転することができず、ピンチの向きが固定されてしまう。
この発明は、上記ワイヤを用いたものの欠点を解消すると共に、ピンチの向きが自由に回転できるようにピンチを取り付けた洗濯ハンガーを得ることを課題とするものである。
【０００５】
この発明の洗濯ハンガーは、ピンチが取り付けられる枠体と、ピンチと、前記枠体にピンチを取り付けるための取付装置とで構成し、前記取付装置は、前記枠体に装着される固定具と、受け具と、連結具とで構成する。
前記固定具と受け具とは、前記固定具の下端部と前記受け具の上部とを係合させて連結してあり、前記受け具と連結具とは、前記受け具の下部と連結具の上部とを回転自在に係合することにより連結してある。
そして、前記連結具の下部には係止部が形成され、この係止部にピンチを係止させている。
【０００６】
前記固定具は枠体に乾燥されるＵ字状の弾性体とし、受け具は上部に一対の固定孔を有するものとし、前記固定具の両端部が前記固定孔に弾性的に係止している。
請求項２の発明は、受け具を連結具の上部が装着される固定孔と、両側に拡開可能なスリットを有する中空部を有するものとし、前記連結具は上部に膨大した係止部を有するものとして、前記中空部に連結具の係止部を装着したものである。
請求項３の発明は、枠体の固定具装着部に溝を形成し、この溝に固定具を係止したものである。
この発明において、各部材は金属製とすると耐候性に優れ、経年劣化が防止でき、特にアルミ製をすれば軽量かつ錆びも防止できるが、合成樹脂製としてもよい。
【０００７】
【作用】
この発明において、ピンチは取付装置を介して枠体に取り付けられる。そして、前記取付装置は、これを構成する受け具と連結具とが回転自在に連結されているので、連結具に取り付けられたピンチも自由に回転できる。
【０００８】
【発明の実施の形態】
図１において、環状に屈曲された枠体１の上方に、吊り下げワイヤ２と吊り具３が取り付けてある。
前記枠体１の表面には、等間隔で枠体の軸と直角方向の溝４が形成してある。この溝４は取付装置５の固定具６が装着されるものであり、固定具６の幅に対応した幅としてある。
【０００９】
前記取付装置５は、前記固定具６、受け具７および連結具８で構成してある。
前記固定具６はＵ字状をなし、両端部外側には係止爪６ａが設けてある。固定具６は前記枠体１の溝４に弾性的に嵌装してあり、枠体の長手方向への移動ができないようになっている。前記固定具６の両端部の係止爪６ａは前記受け具７の上部に形成した一対の固定孔９に嵌装係止することにより、受け具７は固定具６に固定されている。
【００１０】
前記受け具７は、前記固定具が装着される一対の固定孔９と、連結具８の係止部１０が装着される中空部１１と、前記係止部１０を装着するためのスリット１２を有し、このスリット１２は弾性変形により拡開可能として、前記係止部１０がスリット１２を通過できるようにしてある。また、前記中空部１１は受け具７の両側に開口しており、開口部１１ａは連結具８の係止部１０に対応させた大きさの円形としてある。
【００１１】
前記連結具８は、上部に前記係止部１０としての球状の膨大部が形成してあり、下部にフック１３が形成してある。
前記係止部１０は前記連結具８の中空部１１に回転自在に嵌装してある。また前記フック１３は環状不完結のリング状であって、フック１３の構成材が不完結部においてリング内側に向けて屈曲し、対向する屈曲部によって狭窄路１３ａが形成してある。常態では前記不完結部は閉鎖し、力を加えることにより弾性変形によって開き、ピンチ１４のばね１５を取り付けることができるようにしてある。
前記、前記フック１３の屈曲部端面は曲面で構成し、フック１３に係止させたピンチを外す際に、狭窄路１３ａを通過させやすいようにしてある。
なお、フックの具体的構造は上記に限定されるものではない。
【００１２】
この実施形態において、連結具８の係止部１０を球状としたので、受け具７に回転自在に取り付けられる。また、連結具８とピンチ１４とは着脱可能であるから、ピンチが壊れたときは容易に交換することができる。なお、連結具８の係止部１３はピンチ１４に設けられた適宜の孔に係止することもできる。
【００１３】
この発明において連結具は受け具に回転自在に取り付けられればよいのであるから、前記係止部１０の形状は球状の他、円盤状でもよい。また、連結具におけるピンチを取り付けるための構造は上記に限定されるものではない。
【００１４】
【発明の効果】
この発明によれば、枠体にピンチを取り付ける手段として、固定具、受け具、連結具で構成された取付装置を用いたので、ワイヤを介してピンチを取り付けたもののように、ワイヤで服や使用者を損傷するおそれがない。
また、受け具に連結具を回転自在に取り付けたので、ピンチも回転自在となり、使いやすく、かつ洗濯物の吊り下げによって取付装置に無理な力がかかることもない。
【図面の簡単な説明】
【図１】  この発明実施形態の正面図。
【図２】  同じく要部の分解斜視図。
【図３】  固定具の斜視図
【図４】  受け具の斜視図
【図５】  連結具の斜視図
【符号の説明】
１    枠体
２    吊り下げワイヤ
３    吊り具
４    溝
５    取付装置
６    固定具
７    受け具
８    連結具
９    固定孔
１０  係止部
１１  中空部
１２  スリット
１３  フック
１４  ピンチ
１５  ばね
【図１】
0003681671.tif 000002
【図２】
0003681671.tif 000003
【図３】
0003681671.tif 000004
【図４】
0003681671.tif 000005
【図５】
0003681671.tif 000006